(57)【要約】【課題】建造物その他の構築物の壁部又は柱部に沿わせて列設するパネルによりツル科植物の育成用壁面を形成するための装置を提供する。【解決手段】建造物その他の構築物の壁部又は柱部に沿わせて少なくとも上下方向に多数のパネルを列設することにより育成用壁面を形成し、該パネルに沿わせてツル科植物を成長せしめる装置である。パネルは、多数の透孔を有するシート状体を断面波形に形成することにより、正面に畝部と溝部を構成している。畝部及び溝部が上下方向に延びるようにパネルを配置する構成においては、列設された多数のパネルは、上下に隣接するパネルにより畝部と溝部を上下方向に延長せしめる。畝部及び溝部が水平方向に延びるようにパネルを配置する構成においては、列設された多数のパネルは、上下に隣接するパネルにより畝部と溝部を上下方向に交互に配置せしめる。【選択図】  図３
2005042337.tif 000002
【特許請求の範囲】
【請求項１】
建造物その他の構築物の壁部又は柱部に沿わせて少なくとも上下方向に多数のパネル１を列設することにより育成用壁面６を形成し、該パネルに沿わせてツル科植物を成長せしめる構成において、前記パネル１は、多数の透孔２を有するシート状体３を断面波形に形成することにより、正面に上下方向に延びる畝部４と溝部５を構成しており、列設された多数のパネルは、上下に隣接するパネル１、１により畝部４と溝部５を上下方向に延長せしめたことを特徴とする構築物におけるツル科植物育成用パネル装置。
【請求項２】
建造物その他の構築物の壁部又は柱部に沿わせて少なくとも上下方向に多数のパネル１を列設することにより育成用壁面６を形成し、該パネルに沿わせてツル科植物を成長せしめる構成において、前記パネル１は、多数の透孔２を有するシート状体３を断面波形に形成することにより、正面に水平方向に延びる畝部４と溝部５を構成しており、列設された多数のパネルは、上下に隣接するパネル１、１により畝部４と溝部５を上下方向に交互に配置したことを特徴とする構築物におけるツル科植物育成用パネル装置。
【発明の詳細な説明】
【技術分野】
【０００１】
本発明は、建造物その他の構築物の壁部又は柱部に沿わせて列設するパネルによりツル科植物の育成用壁面を形成するための装置、即ち、構築物におけるツル科植物育成用パネル装置に関する。
【背景技術】
【０００２】
近年、ヒートアイランド現象等の対策から、野外、屋外における種々の場所での緑化が推奨されている。このような要望に応えるため、本発明者においては、多種多様の植樹安定装置を提供し、建造物の地上及び屋上における樹木の植樹による緑化事業のために貢献している。
【０００３】
ところで、昨今、緑化の要望は、樹木を植樹することが困難な場所、例えば、建造物の外壁面や、立体駐車場その他の駐車場の外部空間や、屋外の螺旋階段の外部空間等にも及んでいる。そこで、このような場合、所定の壁面に沿わせてツル科植物を繁殖させることにより、緑化の目的を達することができ、しかも、これが外部空間のオブジェとしての役割を果たすことができる。
【発明の開示】
【０００４】
この点に関して、例えばヨーロッパの古い屋敷等で見られるように、家屋等の建造物の外壁面に沿わせてツル科植物を成長させることが知られている。然しながら、ツル科植物は、ツタの巻きヒゲを外壁に係止させながら成長するものであるから、係止困難な外壁面に直接沿わせながら成長させるときは、育成から繁殖に至るまで長期間を要するのが通例であり、しかも、外壁面が中断する個所では育成できないから、上述のような緑化事業のためには適さない。
【０００５】
そこで、建造物その他の構築物の壁部又は柱部に沿わせてツル科植物育成用のパネルを列設することにより育成用壁面を形成すれば、ツタが該パネルに容易に沿わせられるので、ツル科植物を好適に成長せしめ、比較的短期の繁殖に資することができる。
【発明が解決しようとする課題】
【０００６】
前述のようなパネルは、例えば、細い線材を縦横に配置した格子状のメッシュパネルを構成することが好ましく、このような構成によれば、育成中のツル科植物におけるツタの巻きヒゲが格子部分に好適に絡んで成長を促進するので、上述の目的に適している。
【０００７】
然しながら、単純な平面状のメッシュ状パネルの場合、全てのツタの成長空間が同一平面に限定されている。従って、ツタは、平面の横方向に広がりながら成長せざるを得ず、重なり合いながら成長する部分では、通気性が良好でなく、太陽からの受光性にも乏しいので、好適な生育を妨げられる。このため、ツル科植物が生い茂り、葉により育成用壁面の全面を被うようになるまでには、やはり長期間を要する。しかも、前述のような生育を妨げられた部分において、葉が黄ばんでしまい、外観美を損なうという問題がある。
【課題を解決するための手段】
【０００８】
本発明は、上述の課題を解決した構築物におけるツル科植物育成用パネル装置を提供するものであり、その第１の手段として構成したところは、建造物その他の構築物の壁部又は柱部に沿わせて少なくとも上下方向に多数のパネルを列設することにより育成用壁面を形成し、該パネルに沿わせてツル科植物を成長せしめる構成において、前記パネルは、多数の透孔を有するシート状体を断面波形に形成することにより、正面に上下方向に延びる畝部と溝部を構成しており、列設された多数のパネルは、上下に隣接するパネルにより畝部と溝部を上下方向に延長せしめて成る点にある。
【０００９】
また、本発明が第２の手段として構成したところは、建造物その他の構築物の壁部又は柱部に沿わせて少なくとも上下方向に多数のパネルを列設することにより育成用壁面を形成し、該パネルに沿わせてツル科植物を成長せしめる構成において、前記パネルは、多数の透孔を有するシート状体を断面波形に形成することにより、正面に水平方向に延びる畝部と溝部を構成しており、列設された多数のパネルは、上下に隣接するパネルにより畝部と溝部を上下方向に交互に配置せしめて成る点にある。
【００１０】
【発明の効果】
ツル科植物は、生育に伴い、ツタの巻きヒゲをパネルの透孔に絡ませながら下から上に向けて成長する。本発明によれば、パネルは、断面波形に屈曲された畝部と溝部により表面積を大きく形成されているので、多数のツル科植物を密接した状態で同時に受入れることができる。特に、断面波形に形成されたパネルの表面が前後に立体的に形成されているので、葉と葉が干渉することにより成長を妨げられることがなく、迅速な成長を可能にする。
【００１１】
同様に、パネルの畝部と溝部による凹凸効果により、通気性と、太陽光の受光性が極めて優れており、ツル科植物Ｐを群生状態で好適に成長せしめる。
【００１２】
特に、成長中のツル科植物の葉は、最も受光性が高く間隔をあけて配置された多数の畝部の部分で早期に広がることにより、育成用壁面をほぼ均等に葉で被うことになるので、外部から視認されるパネル装置の存在感を早期に打ち消し、短期間で葉の生い茂った外観を確保できる。
【発明を実施するための最良の形態】
【００１３】
以下図面に基づいて本発明の好ましい実施形態を詳述する。
【００１４】
（パネルの実施形態）
図１及び図２は、本発明に係るツル科植物育成用パネル装置の実施形態を示している。パネル１は、多数の透孔２を有するシート状体３を構成し、断面波形に形成することにより、正面Ｆ側に畝部４と溝部５を構成しており、例えば、横１ｍ（１０００ｍｍ）×縦１ｍ（１０００ｍｍ）程度の大きさに形成されているが、その大きさは問わない。また、図例の場合、正面Ｆに向けて、３本の畝部４と２本の溝部５を形成しているが、その本数は問わない。
【００１５】
このようなシート状体３は、金属製の細い線材を縦横に配置し、交差部分をスポット溶接した格子状のメッシュ状シートを形成すると共に、プレス等により断面波形に成形することにより、簡単容易に製作することができる。或いは、金属薄板をプレス等により打抜くことにより、多数の透孔２を形成すると共に断面波形に成形しても良く、更には、このような形状のシート状体３を合成樹脂により成形しても良く、その材質や製造方法は問わない。
【００１６】
そこで、本発明の実施形態によれば、図示省略した建造物の壁部又は柱部に沿わせて、多数のパネル１を列設することにより、育成用壁面６を形成したツル科植物育成用パネル装置７が構成される。図例の場合、パネル１の多数を縦横に列設せしめることにより縦横に広がる育成用壁面６を形成しているが、縦方向にのみ列設しても良く、要するに、少なくとも上下方向に多数のパネル１を列設することにより育成用壁面６を形成するものであれば良い。
【００１７】
（第１実施形態）
図１に示す第１実施形態において、ツル科植物育成用パネル装置７は、各パネル１の畝部４及び溝部５が上下方向に延びるように配置されている。従って、パネル装置７の上下方向に関しては、上下に隣接するパネル１、１が畝部４と溝部５を上下方向に延長せしめており、パネル装置７の水平方向に関しては、左右に隣接するパネル１、１が畝部４と溝部５を交互に配置せしめている。
【００１８】
（第２実施形態）
図２に示す第２実施形態において、ツル科植物育成用パネル装置７は、各パネル１の畝部４及び溝部５が水平方向に延びるように配置されている。従って、パネル装置７の上下方向に関しては、上下に隣接するパネル１、１が畝部４と溝部５を交互に配置せしめており、パネル装置７の水平方向に関しては、左右に隣接するパネル１、１が畝部４と溝部５を水平方向に延長せしめている。
【００１９】
（パネル支持装置と取付装置の第１実施例）
図３ないし図５は、上述したシート状体３から成るパネル１を支持するためのパネル支持装置８と、該支持装置８を構築物の柱部に取付けるための取付装置９の第１実施例を示している。
【００２０】
（パネル支持装置）
パネル支持装置８は、図３に示すような額縁状の枠フレーム１０により構成され、該枠フレーム１０の縦枠１１、１１の外側面に下向きフック状の挿着片１２を固設している。図例の場合、各縦枠１１に対して上下一対の挿着片１２、１２を設けている。そこで、シート状体３から成るパネル１は、枠フレーム１０の窓状開口１３を正面側から被うように配置され、枠フレーム１０にスポット溶接等により固着される。この際、パネル１は、図１に示した第１実施形態に係るパネルの場合は、符号１ａで示すように、畝部４及び溝部５を上下方向に位置せしめた状態で枠フレーム１０に固着される。一方、図２に示した第２実施形態に係るパネルの場合は、符号１ｂで示すように、畝部４及び溝部５を水平方向に位置せしめた状態で枠フレーム１０に固着される。尚、パネル１を枠フレーム１０に対して着脱自在に構成し、同一の枠フレーム１０に対して、第１実施形態に係るパネル１ａと第２実施形態に係るパネル１ｂを選択的に固着可能とするように構成しても良い。
【００２１】
（取付装置）
取付装置９は、図３に示すように、前記枠フレーム１０の幅寸法を内法幅Ｗとするように左右に間隔をあけて配置される一対の縦フレーム１４、１４と、該縦フレーム１４、１４を構築物の柱部１５（図５参照）に対して着脱自在に取付けるためのブラケット装置１６とから構成されている。
【００２２】
一対の縦フレーム１４、１４は、それぞれの正面壁に、パネル支持装置８における縦枠１１の挿着片１２を挿脱自在に挿着せしめる筒片１７を固設しており、該筒片１７の周壁には、セットボルト１８を螺入せしめるためのネジ孔から成る孔１９が貫設されている。更に、縦フレーム１４は、正面から背面に向けて貫通する孔から成る連結手段２０が設けられており、ボルトから成る連結装置２１によりブラケット装置１６に着脱自在に固着される。
【００２３】
ブラケット装置１６は、柱部１５を抱持するように折曲されたＵ形ボルトから成る抱持手段２２と、ブラケット片２３を組付けた構成とされており、図５に示すように、抱持手段２２のＵ形部２２ｂにより柱部１５を抱持せしめた状態で、該抱持手段２２の平行ボルト部２２ａ、２２ａに摺動自在に外挿された帯状の板片２４を柱部１５の正面側に配置する。そこで、該ボルト部２２ａ、２２ａに螺着したナット２５、２５を締着することにより、抱持手段２２のＵ形部２２ｂと板片２４の間に柱部１５をクランプせしめると、これにより抱持手段２２が柱部１５に固定される。
【００２４】
図５に示すように、抱持手段２２は、平行ボルト部２２ａ、２２ａを柱部１５の正面側に寸法Ｌを越えて長く突出せしめており、その先端近傍部にブラケット片２３を摺動自在に外挿している。従って、ブラケット片２３は、平行ボルト部２２ａ、２２ａの先端近傍部において所定位置に螺合したクランプ用ナット２６、２７により固定される。尚、図例の場合、ブラケット片２３の外側面と外側のナット２７、２７との間には板片２８が介装されている。
【００２５】
ブラケット片２３の両端近傍部には、縦フレーム１４、１４の連結手段２０の孔と合致するネジ孔により構成された連結手段２９が設けられている。従って、抱持手段２２を介して柱部１５に固定されたブラケット片２３の両端部に対して、縦フレーム１４、１４を交差配置せしめた状態で、相互に連結手段２０、２９を連結装置２１により連結固着することにより、柱部１５の正面側において、内法幅Ｗの間隔を有する縦フレーム１４、１４が起立姿勢で設置される。
【００２６】
そこで、一対の縦フレーム１４、１４の間に、パネル１を取付けたパネル支持装置８を配置し、縦枠１１の挿着片１２を縦フレーム１４の筒片１７に挿着した後、セットボルト１８により挿着片１２を筒片１７の内部で固定すれば、これにより、図４及び図５に示すようなパネル装置７の組付け状態が得られる。
【００２７】
このように、各パネル１を取付けた各パネル支持装置８は、構築物の柱部１５に対して取付装置９を介して取付けられ、このようにして取付けられるパネル１の多数が柱部１５に沿って上下方向に列設されることにより育成用壁面６を形成するが、比較的重量物から成るパネル支持装置８と縦フレーム１４、１４から生じる荷重は、柱部１５に負荷を与えないように構成されている。
【００２８】
即ち、図４に示すように、一対の縦フレーム１４、１４は、角パイプ又は丸パイプ等のパイプ材により構成されており、上端部に受入孔３０を有し、下端部に挿入片３１を突設している。従って、下側の縦フレーム１４の上端部の受入孔３０に対して、上側の縦フレーム１４の下端部の挿入片３１が嵌入されるものであり、下側から順に上側へと積み上げられるように構成されている。このため、上下に列設される多数の縦フレーム１４は、同軸状に連設され、荷重を下向きに作用せしめるので、柱部１５に負荷を与えない。尚、最下部に配置される縦フレーム１４は、図示のように、挿入片３１の下端に上下位置調整自在な台座３２を設けていることが好ましく、これにより全ての荷重を接地面に作用せしめる。
【００２９】
（上記実施形態及び実施例の作用）
上述のように多数のパネル１を列設することにより育成用壁面６を形成したツル科植物育成用パネル装置７は、図１及び図２に示すように、該壁面６に沿わせてツル科植物Ｐを好適に成長せしめ、該壁面６の全面が葉で被われるように繁殖せしめる。この際、ツル科植物Ｐの客土は、接地面の部分に設ければ良いが、必要に応じて、図５に示すように高所のパネル１の背面側においてプランタボックス３３を吊持せしめても良い。図例の場合、プランタボックス３３は、連結装置２１により縦フレーム１４と一体的に連結されたブラケット片２３に吊持されるので、該プランタボックス３３の重量を縦フレーム１４に担持させることができる。
【００３０】
ツル科植物Ｐは、生育に伴い、ツタの巻きヒゲをパネル１の透孔２に絡ませながら下から上に向けて成長する。この際、パネル１は、断面波形に屈曲された畝部４と溝部５により表面積を大きく形成されているので、多数のツル科植物Ｐを密接した状態で同時に受入れることができる。即ち、ツル科植物Ｐは、ツタの成長と共に葉を出現させるに際し、密接状態で隣接する葉同士が相互に干渉するときは成長を妨げられるが、断面波形に形成されたパネル１の表面が前後に立体的に形成されているので、葉と葉の干渉が小さく、迅速な成長を可能にする。
【００３１】
同様に、畝部４と溝部５による凹凸効果により、通気性と、太陽光の受光性が極めて優れており、ツル科植物Ｐを群生状態で好適に成長せしめる。
【００３２】
特に、成長中のツル科植物Ｐの葉は、最も受光性の高い畝部４の部分で早期に広がり、溝部５の部分ではやや遅れて広がることになるが、間隔をあけて配置された多数の畝部４の部分で葉が早く広がることにより、育成用壁面６の概略全面を葉で被うことができるので、外部から視認されるパネル装置７の存在感を早期に打ち消すことが可能になる。
【００３３】
そして、上述のようなパネル支持装置８と取付装置９の構成によれば、図５に示すように、縦フレーム１４、１４を連結したブラケット片２３が柱部１５から正面側に寸法Ｌを越えて配置されることにより、寸法Ｌに相当する通気空間を形成し、更に、パネル１を支持する枠フレーム１０が縦フレーム１４の前側に配置されることにより、縦フレーム１４の径に相当する通気空間を形成し、これらの通気空間を介して窓状開口１３からパネル１の透孔２に空気を供給するので、成長中のツル科植物Ｐに対する通気性が極めて良好となる。
【００３４】
（パネル支持装置と取付装置の第２実施例）
図６及び図７は、パネル１を支持するためのパネル支持装置８と、該支持装置８を構築物の柱部に取付けるための取付装置９の第２実施例を示している。
【００３５】
パネル支持装置８は、上記第１実施例と同様の額縁状の枠フレーム１０により構成されている。上記第１実施例と同様に、パネル１は、枠フレーム１０の窓状開口１３を正面側から被うように配置され、枠フレーム１０にスポット溶接等により固着される。この際、パネル１は、図１に示した第１実施形態に係るパネルの場合は、符号１ａで示すように、畝部４及び溝部５を上下方向に位置せしめた状態で枠フレーム１０に固着される。一方、図２に示した第２実施形態に係るパネルの場合は、符号１ｂで示すように、畝部４及び溝部５を水平方向に位置せしめた状態で枠フレーム１０に固着される。尚、パネル１を枠フレーム１０に対して着脱自在に構成し、同一の枠フレーム１０に対して、第１実施形態に係るパネル１ａと第２実施形態に係るパネル１ｂを選択的に固着可能とするように構成しても良い。
【００３６】
取付装置９は、パネル支持装置８の横枠１０ａ、１０ａから背面に向けて延設された左右一対のアーム３４、３４と３５、３５により構成され、各一対のアームの先端に相互に同軸線上に位置する孔３６、３６を設けている。
【００３７】
従って、第２実施例によれば、図７に示すように、左右一対のアーム３４、３４（３５、３５）を柱部１５の両側面に位置せしめた状態で、アーム先端の孔３６、３６を介してボルト３７及びナット３８を締着することにより、柱部１５をクランプせしめ、これにより、パネル１を取付けたパネル支持装置８を柱部１に沿って取付けることができる。
【００３８】
この場合、上下方向に列設されるパネル支持装置８は、横枠１０ａを相互に下から上に向けて積み上げることにより、自らが荷重を担持し、柱部１５に負荷を与えないように構成するのが好ましい。
【図面の簡単な説明】
【図１】本発明の第１実施形態を示す斜視図である。
【図２】本発明の第２実施形態を示す斜視図である。
【図３】本発明のパネル装置を構成するためのパネル支持装置と取付装置の第１実施例を示す分解斜視図である。
【図４】パネル装置を上下に分解して示す正面図である。
【図５】前記第１実施例の横断面図であり、図４のＡ−Ａ線断面図である。
【図６】本発明のパネル装置を構成するためのパネル支持装置と取付装置の第２実施例を示す分解斜視図である。
【図７】前記第２実施例の横断面図である。
【符号の説明】
１、１ａ、１ｂ  パネル
２  透孔
３  シート状体
４  畝部
５  溝部
６  育成用壁面
７  ツル科植物育成用パネル装置
８  パネル支持装置
９  取付装置
【図１】
2005042337.tif 000003
【図２】
2005042337.tif 000004
【図３】
2005042337.tif 000005
【図４】
2005042337.tif 000006
【図５】
2005042337.tif 000007
【図６】
2005042337.tif 000008
【図７】
2005042337.tif 000009